(57)【要約】      （修正有）【課題】各釣竿のガイド合わせの煩わしさから開放し、釣竿の各部分の回転を防止する事ができる釣竿を提供する。【解決手段】数本継ぎの並継の場合、元竿本体１の内側に凸部材６一箇所ないし複数箇所設ける。中竿及び穂先竿には凹部５を一箇所ないし複数箇所設け双方をはめ合わせる。凹凸部材の取り付けは、竿を接続したときにガイドが一直線上に並ぶよう設置するものとする。さらに凹凸部材を設置し双方をはめ合わせることにより、元竿以先の竿の回転を防止する事ができ、竿本来の性能を発揮する事ができる。凹凸部材の取り付け個数は１ヶ所ないし複数箇所設置するものとし、部材の形状は丸形状や角型、三角、板形状等その他の形状の凹凸部材がある。各竿の接合部に補強金具を取り付ける場合はその形状により凸部材の機能を持たせ単体もしくは併用させる事もできる。また、インロー継の接合部分も並継と同様の形状とする。【選択図】図１
2004242683.tif 000002
【特許請求の範囲】
【請求項１】
本発明は、各釣竿の接続部分に凹部及び凸部材を設けた釣竿に関するものである。
【発明の詳細な説明】
【技術分野】
【０００１】本発明は、数本継ぎの釣竿の接続部分に凹部を設け、もう一方に凸部材を取り付け双方をはめ合わせる。はめ合わせることによりガイド合わせが容易にでき、ガイド合わせの時の煩わしさから開放する事ができる。また、凹凸部材を取り付けはめ合わせることにより元竿以先の竿の回転を防止する事ができる。それにより、ガイドを一直線上に配置できる事により釣糸への負担も軽減され、竿本来の性能を発揮する事ができる釣竿の継手に関するものである。
【背景技術】
【０００２】従来、釣竿の接合は元竿から中竿・穂先竿と順次接続し、各釣竿のガイドを一直線上に位置合わせを行っていた。また、釣行中に釣竿の各部分が回転してしまいその都度ガイド合わせを行っていた。
【発明の開示】
【発明が解決しようとする課題】
【０００３】本発明は、各釣竿のガイド合わせの煩わしさから開放し、釣竿の各部分の回転を防止する事ができる釣竿を提供する事が課題である。
【課題を解決する為の手段】
【０００４】本発明は、数本継ぎの釣竿の接続部分に凹部を設け、もう一方に凸部材を取り付け双方をはめ合わせる。はめ合わせることによりガイド合わせが容易にでき、ガイド合わせの時の煩わしさから開放する事ができる。また、凹凸部材を取り付けはめ合わせることにより元竿以先の竿の回転を防止する事ができる。それにより、ガイドを一直線上に配置でき釣糸への負担も軽減され、竿本来の性能を発揮する事ができる。
【発明を実施するための最良の形態】
【０００５】本発明の形態を図１から図１２を利用して説明する。図１から図３で示すように数本継ぎの並継の場合、元竿本体１の内側に凸部材３を一箇所ないし複数箇所設ける。凸部材３は、図１のａ、図２のｂ、図３のｃ等の長さの部材を使用する。中竿及び穂先竿４には凹部５を一箇所ないし複数箇所設け双方をはめ合わせる。凹凸部材の取り付けは、竿を接続したときにガイドが一直線上に並ぶよう設置するものとする。それにより、ガイドを同じ向きにして竿を接続すれば容易にガイドを一直線上に揃える事ができ、従来からあるガイド合わせのときの煩わしさから開放する事ができる。さらに凹凸部材を設置し双方をはめ合わせることにより、元竿以先の竿の回転を防止する事ができ、竿本来の性能を発揮する事ができる。また、ガイドを一直線上に配置できる事により、釣糸への負担を減らす事もできる。凹凸部材は図９から図１２に示すように、取り付け個数は１ヶ所ないし複数箇所設置するものとし、部材の形状は丸形状や角型、三角、板形状等その他の形状の凹凸部材がある。各竿の接合部に補強金具を取り付ける場合は図４から図６の２、または図７の６のように補強金具に凸部材の機能を持たせ単体もしくは図８のように併用させる。補強材形状はリング状や糸巻き等その他の形状がある。また、インロー継の接合部分も並継と同様の形状とする。
【発明の効果】
【０００６】本発明は、数本継ぎの釣竿の接続部分に凹部及び凸部材を取り付ける。双方をはめ合わせる事によりガイドを容易に一直線上に揃える事ができ、ガイド合わせのときの煩わしさから開放することができる。さらに、凹凸部材を取り付けた事により元竿以先の竿の回転を防止する事ができる。それにより、ガイドを一直線上に配置でき釣糸への負担も軽減され、竿本来の性能を発揮する事ができる。
【図面の簡単な説明】
【０００７】
2004242683.tif 000003
【図７】  本発明の並継時の断面図である（凸部材を補強材と一体とした場合）
【図８】  本発明の並継時の断面図である（凸部材を併用した場合）
【図９】  接続部の斜視図である（凹凸部材が丸又は角形状、補強材なしの場合）
【図１０】  接続部の斜視図である（凹凸部材が三角形状、補強材なしの場合）
【図１１】  接続部の斜視図である（凹凸部材が丸又は角形状、補強材有の場合）
【図１２】  接続部の斜視図である（凸部材が補強材一体型）
【符号の説明】
【０００８】    １  元竿                        ６  凸部材（補強材一体型）
２  補強材                      ａ  凸部材の取り付け長さ
３  凸部材                      ｂ  凸部材の取り付け長さ
４  中竿または穂先竿            ｃ  凸部材の取り付け長さ
５  凹部
【図１】
2004242683.tif 000004
【図２】
2004242683.tif 000005
【図３】
2004242683.tif 000006
【図４】
2004242683.tif 000007
【図５】
2004242683.tif 000008
【図６】
2004242683.tif 000009
【図７】
2004242683.tif 000010
【図８】
2004242683.tif 000011
【図９】
2004242683.tif 000012
【図１０】
2004242683.tif 000013
【図１１】
2004242683.tif 000014
【図１２】
2004242683.tif 000015
【手続補正書】
【提出日】平成16年4月21日(2004.4.21)
【手続補正１】
【補正対象書類名】明細書
【補正対象項目名】０００５
【補正方法】変更
【補正の内容】
【０００５】発明を実施する最良の形態本発明の形態を図１から図１４を利用して説明する。数本継ぎの並継の場合、図１から図６、図９で示すように、元竿本体１の内側に凸部材３を１ヶ所ないし複数ヶ所設ける。中竿及び穂先竿４には凹部５を１ヶ所ないし複数ヶ所設け双方をはめ合わせる（中竿及び穂先竿が筒状の場合は内部を補強材で補強する）。インロー継・逆インロー継の場合、図１３で示すように、インロー継オス部材側に凹部５を設け、メス部材側に凸部材３を設け双方をはめ合せる。また、図１４で示すようにオス部材側に凸部材３（補強材で一体型若しくは取り付け型とする。）を設け、メス部材側に凹部５を設ける形状もある。凹凸部材の取り付けは並継・インロー継・逆インロー継とも、竿を接続したときにガイドが一直線上に並ぶように取り付け双方をはめ合わせるものとする。それにより、ガイドを容易に揃える事が可能なため、従来のガイド合わせの時の煩わしさから開放されるのである。また、凹凸部材をはめ合わせることにより、使用中の元竿以先の竿（ガイド）の回転を防止する事ができ竿本来の性能を発揮する事ができる。竿の回転を防止する事ができるので、竿（ガイド）が回転する事により釣糸にかけられていた負担を軽減する事が可能である。次に凹凸部材の取り付け個数や形状について説明する。並継・インロー継・逆インロー継とも、取り付け個数は１ヶ所ないし複数ヶ所設置するものとし、部材の形状は丸型、角型、三角、板形状等その他の形状の凹凸部材がある。並継の凸部材３の取り付け長さは図１から図６のａからｃ等の長さの部材があり、インロー継・逆インロー継の凸部材材に凸部材の機能をもたせ、単体若しくは図８のように凸部材３と６を一体型または併用させるものとする。インロー継・逆インロー継の場合は図１３、図１４の２ように設置し、図１３、図１４の６のように補強材に凸部材及び凹部材の機能をもたせ、単体若しくは凸部材３と６を一体型または併用させるものとする。並継・インロー継・逆インロー継とも、補強材一体型の凹凸部材の取り付け個数は１ヶ所ないし複数ヶ所設置するものとし、凹凸部材の形状は丸型、角型、三角、板形状等その他の形状とする。
【手続補正２】
【補正対象書類名】明細書
【補正対象項目名】０００７
【補正方法】変更
【補正の内容】
【０００７】
【図１】本発明の並継時の断面図である（補強材なし）
【図２】本発明の並継時の断面図である（補強材なし）
【図３】本発明の並継時の断面図である（補強材なし）
【図４】本発明の並継時の断面図である（補強材あり）
【図５】本発明の並継時の断面図である（補強材有）
【図６】本発明の並継時の断面図である（補強材有）
【図７】本発明の並継時の断面図である（凸部材を補強材と一体とした場合）
【図８】本発明の並継時の断面図である（凸部材を併用した場合）
【図９】接続部の斜視図である（凹凸部材が丸又は角形状、補強材なしの場合）
【図１０】接続部の斜視図である（凹凸部材が三角形状、補強材なしの場合）
【図１１】接続部の斜視図である（凹凸部材が丸又は角形状、補強材有の場合）
【図１２】接続部の斜視図である（凸部材が補強材一体型）
【図１３】本発明のインロー継・逆インロー継の断面図である  オス部材側に凹部、メス部材側に凸部を設けた場合
【図１４】本発明のインロー継・逆インロー継の断面図である  オス部材側に凸部、メス部材側に凹部を設けた場合
【手続補正３】
【補正対象書類名】図面
【補正対象項目名】図１３
【補正方法】追加
【補正の内容】
【図１３】
2004242683.tif 000016
【手続補正４】
【補正対象書類名】図面
【補正対象項目名】図１４
【補正方法】追加
【補正の内容】
【図１４】
2004242683.tif 000017
【手続補正５】
【補正対象書類名】図面
【補正対象項目名】図９
【補正方法】変更
【補正の内容】
【図９】
2004242683.tif 000018
【手続補正６】
【補正対象書類名】図面
【補正対象項目名】図１０
【補正方法】変更
【補正の内容】
【図１０】
2004242683.tif 000019
【手続補正７】
【補正対象書類名】図面
【補正対象項目名】図１１
【補正方法】変更
【補正の内容】
【図１１】
2004242683.tif 000020
【手続補正８】
【補正対象書類名】図面
【補正対象項目名】図１２
【補正方法】変更
【補正の内容】
【図１２】
2004242683.tif 000021